(57)【特許請求の範囲】
【請求項１】
その後端に歯科用ハンドピースへの抜け止め用装着部(D1)を形成する縮径部(D2)を有するか又は有さない同一直径の円柱状の軸部(D3)の先端側に刃部(D4)が形成されたインプラントフィクスチャー埋入用孔を穿設するための歯科用ドリル(Ｄ)の該軸部(D3)に、該歯科用ドリル(Ｄ)の先端側又は後端側から外嵌させて位置固定されることにより、穿設する孔の深さを規制するための歯科用ドリル用着脱式ストッパであって、
定常状態でその内径が前記歯科用ドリル(Ｄ)の軸部(D3)の外径よりも僅かに小さく、その外周面から内周面に至るスリット部(1a)がその軸方向全長に形成されて該スリット部(1a)が開口された円筒状を成し、該スリット部(1a)の軸方向の中央部に拡径具挿入部(1b)が穿設されている弾性変形可能な金属材料から成るストッパ本体(１)と、
該ストッパ本体(１)の拡径具挿入部(1b)に挿抜自在な形状を成し、該ストッパ本体(１)の拡径具挿入部(1b)に挿入されると該ストッパ本体(１)の内径を前記歯科用ドリル(Ｄ)の軸部(D3)の外径よりも大きく拡径せしめる拡径具(２)と、
から構成されていることを特徴とする歯科用ドリル用着脱式ストッパ。
【請求項２】
ストッパ本体(１)の拡径具挿入部(1b)が、その横断面の面積が外周側から内周側に行くに従って小さくなるように且つその横断面の形状が外周側から内周側に亘って相似形を成すように形成されている縮小部位(1ba)を有すると共に、拡径具(２)の先端側が、該ストッパ本体(１)の拡径具挿入部(1b)の縮小部位(1ba)の内周側の横断面よりも僅かに大きいの横断面を成すように形成されている請求項１に記載の歯科用ドリル用着脱式ストッパ。
【請求項３】
ストッパ本体(１)の拡径具挿入部(1b)が、外周側から内周側に亘って略同一の横断面を成すように形成されていると共に、拡径具(２)の先端側が、該ストッパ本体(１)の拡径具挿入部(1b)の横断面より大きな面積の横断面を有する部位から先端に行くに従って該ストッパ本体(１)の拡径具挿入部(1b)の横断面より小さな面積の横断面を有するように形成されている請求項１に記載の歯科用ドリル用着脱式ストッパ。
【請求項４】
ストッパ本体(１)の拡径具挿入部(1b)が、その横断面が円形状を成し且つその外周側の内面に雌ねじ(1bb)が形成されていると共に、拡径具(２)に、該ストッパ本体(１)の拡径具挿入部(1b)の雌ねじ(1bb)に螺入される雄ねじ(2a)が形成されている請求項１又は２に記載の歯科用ドリル用着脱式ストッパ。
【請求項５】
ストッパ本体(１)の中心軸を挟んでスリット部(1a)と反対側の部位の外周面側に、軸方向全長に亘って内周面側へ凹状を成す拡径補助部位(1c)が形成されている請求項１から４までの何れか１項に記載の歯科用ドリル用着脱式ストッパ。
【請求項６】
ストッパ本体(１)が、チタン合金から成る請求項１から５までの何れか１項に記載の歯科用ドリル用着脱式ストッパ。
【発明の詳細な説明】
【技術分野】
【０００１】
本発明は、その後端に歯科用ハンドピースへの抜け止め用装着部を形成する縮径部を有するか又は有さない同一直径の円柱状の軸部の先端側に刃部が形成されたインプラント治療におけるインプラントフィクスチャー埋入用孔を穿設するための歯科用ドリルの軸部に、歯科用ドリルの先端側又は後端側から外嵌されて位置固定されることにより、穿設する孔の深さを規制するための歯科用ドリル用着脱式ストッパに関するものである。
【背景技術】
【０００２】
一般に、欠如歯部の顎骨に形成したインプラントフィクスチャー埋入用孔内に歯科用補綴物の維持安定装置となるインプラントフィクスチャーを埋入して天然歯における歯根の機能を代行させ、このインプラントフィクスチャーの口腔内側に歯科用補綴物の固定装置を連結固定して歯科用補綴物維持装置とし、この歯科用補綴物維持装置に歯科用補綴物を固定する歯科用インプラント治療技術が開発され実施されている。
【０００３】
このようなインプラント治療において、欠如歯部の顎骨にインプラントフィクスチャー埋入用孔を穿設する際には、通常その後端に歯科用ハンドピースへの抜け止め用装着部を形成する縮径部を有するか又は有さない同一直径の円柱状の軸部の先端側に刃部が形成された歯科用ドリルを装着されたハンドピース等の歯科用駆動装置を用いて、欠如歯部の顎骨に歯科用ドリルの刃部で穿孔することにより行われる。
【０００４】
しかしながら、このような作業によって形成されたインプラントフィクスチャー埋入用孔の深さが所望の深さでなかった場合には、インプラントフィクスチャー埋入用孔内に埋入されたインプラントフィクスチャーに歯科用補綴物を固定することができなかったり、インプラントフィクスチャー埋入用孔内にインプラントフィクスチャーを安定して埋入することができなかったりするという事態が発生してしまうばかりでなく、最悪の場合には顎骨を損傷してしまうおそれがあるので、このようなインプラント治療では、欠如歯部の顎骨にインプラントフィクスチャー埋入用孔を正確な位置に且つ正確な深さで形成することが最も重要なのである。
【０００５】
そこで、患者の顎骨の断層写真をコンピュータに取り込み、事前にフィクスチャーの埋入方向を決めてフィクスチャーを含む補綴装置の完成状態を正確にシミュレートしたデータに基づきフィクスチャーの埋入方向が規定された穴が形成されたテンプレートを作製すると共に、穿設されるインプラントフィクスチャー埋入用孔の深さを規制するためのフランジがその軸部と一体に形成されているフランジ付歯科用ドリルを用いた歯科インプラントを配置するための方法（例えば、特許文献１参照。）が開発された。
【０００６】
このようなテンプレート及びフランジ付歯科用ドリルを用いた方法は、インプラントフィクスチャー埋入用孔の位置や方向がテンプレートで規定されると共に、インプラントフィクスチャー埋入用孔の深さはフランジ付歯科用ドリルのフランジで位置規制されるため、インプラントフィクスチャー埋入用孔の位置がズレてしまったり、インプラントフィクスチャー埋入用孔の深さが所望の深さでなかったりする事態を防止することができる。
【０００７】
しかしながら、前記フランジ付歯科用ドリルは、穿設されるインプラントフィクスチャー埋入用孔の深さを規制するためのフランジがその軸部と一体に形成されている構成となっているため、前記テンプレート及びフランジ付歯科用ドリルを用いた方法を採用した場合には、その刃部の形状が全く同一形状であるフランジ付歯科用ドリルであっても、穿設されるインプラントフィクスチャー埋入用孔の深さに合わせてそれぞれフランジの軸方向の位置のみが異なった数種類のフランジ付歯科用ドリルも用意しなければならないという欠点があるばかりでなく、通常はそれぞれ異なった形状の刃部を有する複数種類の歯科用ドリルを用意しなければならないから、これらの複数種類の刃部毎にそれぞれフランジの軸方向の位置のみが異なった膨大な種類のフランジ付歯科用ドリルを用意しなければならないという欠点があるので、その経済的負担が非常に大きいという欠点もあった。
【０００８】
更には、前記テンプレート及びフランジ付歯科用ドリルを用いた方法を採用した場合には、従来より多用されている一般的なフランジのない歯科用ドリルを用いることができないため、歯科医は前記の如く複数種類の刃部毎にそれぞれフランジの軸方向の位置のみが異なった膨大な種類のフランジ付歯科用ドリルを新たに用意しなければならないという欠点があるばかりでなく、従来より使用している多数の一般的なフランジのない歯科用ドリルが無駄になってしまうという欠点もあった。
【０００９】
【特許文献１】特表２００５−５１８８３４号公報（請求項１，請求項１１等）
【発明の開示】
【発明が解決しようとする課題】
【００１０】
本発明は、前記従来技術の欠点を解消し、その後端に歯科用ハンドピースへの抜け止め用装着部を形成する縮径部を有するか又は有さない同一直径の円柱状の軸部の先端側に刃部が形成されたインプラント治療におけるインプラントフィクスチャー埋入用孔を穿設するための歯科用ドリルの軸部に、歯科用ドリルの先端側又は後端側から外嵌させて位置固定されることにより、穿設する孔の深さを規制するための歯科用ドリル用着脱式ストッパであって、特に歯科用ドリルの軸部に確実に外嵌した状態を維持することができると共にその脱着を容易に行うことできる歯科用ドリル用着脱式ストッパを提供することを課題とする。
【課題を解決するための手段】
【００１１】
本発明者らは前記課題を解決すべく鋭意研究の結果、定常状態でその内径が歯科用ドリルの軸部の外径よりも僅かに小さく、その外周面から内周面に至るスリット部がその軸方向全長に形成されてスリット部が開口された円筒状を成し、スリット部の軸方向の中央部に拡径具挿入部が穿設されている弾性変形可能な金属材料から成るストッパ本体と、このストッパ本体の拡径具挿入部に挿抜自在な形状を成し、ストッパ本体の拡径具挿入部に挿入されるとストッパ本体の内径を歯科用ドリルの軸部の外径よりも大きく拡径せしめる拡径具とで歯科用ドリル用着脱式ストッパを構成すれば、拡径具をストッパ本体の拡径具挿入部に挿入すると、ストッパ本体の内径が歯科用ドリルの軸部の外径よりも大きい拡径状態、即ちストッパ本体を歯科用ドリルの先端側又は後端側から挿通させることができる状態へと移行させ、一方拡径具をストッパ本体の拡径具挿入部がら抜き取ると、ストッパ本体の内径が歯科用ドリルの軸部の外径よりも僅かに小さい定常状態、即ちストッパ本体を歯科用ドリルの軸部に外嵌されて位置固定された状態へと移行させることができるため、拡径具をストッパ本体の拡径具挿入部に挿抜するという簡単な操作だけで、ストッパ本体を拡径状態と定常状態とに相互に移行させることができるので、歯科用ドリルの軸部に確実に外嵌した状態を維持することができると共にその脱着を容易に行うことできることを究明して本発明を完成したのである。
【００１２】
即ち本発明は、その後端に歯科用ハンドピースへの抜け止め用装着部を形成する縮径部を有するか又は有さない同一直径の円柱状の軸部の先端側に刃部が形成されたインプラントフィクスチャー埋入用孔を穿設するための歯科用ドリルの該軸部に、該歯科用ドリルの先端側又は後端側から外嵌させて位置固定されることにより、穿設する孔の深さを規制するための歯科用ドリル用着脱式ストッパであって、
定常状態でその内径が前記歯科用ドリルの軸部の外径よりも僅かに小さく、その外周面から内周面に至るスリット部がその軸方向全長に形成されて該スリット部が開口された円筒状を成し、該スリット部の軸方向の中央部に拡径具挿入部が穿設されている弾性変形可能な金属材料から成るストッパ本体と、
該ストッパ本体の拡径具挿入部に挿抜自在な形状を成し、該ストッパ本体の拡径具挿入部に挿入されると該ストッパ本体の内径を前記歯科用ドリルの軸部の外径よりも大きく拡径せしめる拡径具と、
から構成されていることを特徴とする歯科用ドリル用着脱式ストッパである。
【００１３】
そして、このような歯科用ドリル用着脱式ストッパにおいて、ストッパ本体の拡径具挿入部が、その横断面の面積が外周側から内周側に行くに従って小さくなるように且つその横断面の形状が外周側から内周側に亘って相似形を成すように形成されている縮小部位を有すると共に、拡径具の先端側が、ストッパ本体の拡径具挿入部の縮小部位の内周側の横断面よりも僅かに大きい横断面を成すように形成されていたり、ストッパ本体の拡径具挿入部が、外周側から内周側に亘って略同一の横断面を成すように形成されていると共に、拡径具の先端側が、ストッパ本体の拡径具挿入部の横断面より大きな面積の横断面を有する部位から先端に行くに従ってストッパ本体の拡径具挿入部の横断面より小さな面積の横断面を有するように形成されていたりすれば、ストッパ本体の内径を確実に拡径することができて好ましく、そしてこれらの態様において、ストッパ本体の拡径具挿入部が、その横断面が円形状を成し且つその外周側の内面に雌ねじが形成されていると共に、拡径具に、ストッパ本体の拡径具挿入部の雌ねじに螺入される雄ねじが形成されていれば、ストッパ本体の拡径具挿入部に拡径具を螺入するだけで容易にストッパ本体の内径を拡径することができて好ましいことも究明したのである。
【００１４】
また、ストッパ本体の中心軸を挟んでスリット部と反対側の部位の外周面側に、軸方向全長に亘って内周面側へ凹状を成す拡径補助部位が形成されていれば、ストッパ本体の拡径具挿入部に拡径具を挿入した際にストッパ本体の内径が拡径し易くなるので好ましく、更にストッパ本体が、チタン合金から成るものであれば、インプラント治療において要求される生体親和性を有する素材で構成されていることになるので好ましいとも究明したのである。
【発明の効果】
【００１５】
本発明に係る歯科用ドリル用着脱式ストッパは、前記した構成より成るものであるから、拡径具をストッパ本体の拡径具挿入部に挿入すると、ストッパ本体の内径が歯科用ドリルの軸部の外径よりも大きい拡径状態、即ちストッパ本体を歯科用ドリルの先端側又は後端側から挿通させることができる状態へと移行させることができ、一方拡径具をストッパ本体の拡径具挿入部から抜き取ると、ストッパ本体の内径が歯科用ドリルの軸部の外径よりも僅かに小さい定常状態、即ちストッパ本体を歯科用ドリルの軸部に外嵌されて位置固定された状態へと移行させることができるため、拡径具をストッパ本体の拡径具挿入部に挿抜するという簡単な操作だけで、ストッパ本体を拡径状態と定常状態とに相互に移行させることができるので、歯科用ドリルの軸部に確実に外嵌して位置固定された状態を維持することができると共にその脱着を容易に行うことできるばかりでなく、従来より存在する一般的なフランジのない歯科用ドリルであっても、その軸部に先端側又は後端側から外嵌して位置固定することにより、従来のフランジ付歯科用ドリルと同様に、インプラントフィクスチャー埋入用孔の深さを規制することができる歯科用ドリルとして流用することができるので、従来より使用している多数の一般的なフランジのない歯科用ドリルを無駄にすることがないので、経済的負担を大幅に軽減させることができるのである。
【００１６】
そして、歯科用ドリルの軸部に外嵌する際にその軸方向の位置を変えて固定するだけで、所望の深さを有するインプラントフィクスチャー埋入用孔を穿設することができるから、従来のフランジ付歯科用ドリルの如く穿設されるインプラントフィクスチャー埋入用孔の深さに合わせてそれぞれフランジの軸方向の位置のみが異なった複数種類のフランジ付歯科用ドリルも用意する必要が一切ないのである。
【００１７】
更には、本発明に係る歯科用ドリル用着脱式ストッパでは、それぞれフランジの軸方向の位置のみが異なった複数種類のもの用意したとしても結果的には段階的なインプラントフィクスチャー埋入用孔の深さにしか対応できない従来のフランジ付歯科用ドリルとは全く異なり、歯科用ドリルの軸部に外嵌する際にその軸方向の位置を自由に変えて固定することができるので、１つの歯科用ドリルであっても、穿設されるインプラントフィクスチャー埋入用孔の深さを連続的に自由に対応することができる。
【００１８】
そして、このような歯科用ドリル用着脱式ストッパにおいて、ストッパ本体の拡径具挿入部が、その横断面の面積が外周側から内周側に行くに従って小さくなるように且つその横断面の形状が外周側から内周側に亘って相似形を成すように形成されている縮小部位を有すると共に、拡径具の先端側が、ストッパ本体の拡径具挿入部の縮小部位の内周側の横断面よりも僅かに大きい横断面を成すように形成されていたり、ストッパ本体の拡径具挿入部が、外周側から内周側に亘って略同一の横断面を成すように形成されていると共に、拡径具の先端側が、ストッパ本体の拡径具挿入部の横断面より大きな面積の横断面を有する部位から先端に行くに従ってストッパ本体の拡径具挿入部の横断面より小さな面積の横断面を有するように形成されていたりすれば、ストッパ本体の内径を確実に拡径することができて好ましく、そしてこれらの態様において、ストッパ本体の拡径具挿入部が、その横断面が円形状を成し且つその外周側の内面に雌ねじが形成されていると共に、拡径具に、ストッパ本体の拡径具挿入部の雌ねじに螺入される雄ねじが形成されていれば、ストッパ本体の拡径具挿入部に拡径具を螺入するだけで容易にストッパ本体の内径を拡径することができて好ましいばかりでなく、拡径具をその軸芯を中心として回転させる操作によりストッパ本体を拡径状態と定常状態とに相互に移行させることができるので、ストッパ本体の内径を拡径させる操作の際に必要な力を軽減することができて好ましい。
【００１９】
また、ストッパ本体の中心軸を挟んでスリット部と反対側の部位の外周面側に、軸方向全長に亘って内周面側へ凹状を成す拡径補助部位が形成されていれば、ストッパ本体の拡径具挿入部に拡径具を挿入した際にストッパ本体の内径が拡径し易くなるので好ましいばかりでなく、ストッパ本体の内径を拡径させる操作の際に必要な力を軽減することができて好ましく、更にはその拡径具挿入部が上方に向いた状態で且つその拡径補助部位が机上等の平坦な面上に当接させた状態でストッパ本体を安定して机上等の平坦な面上に載置することができるから、拡径具をストッパ本体の拡径具挿入部に挿抜する際にこのように机上等の平坦な面上に載置した状態にすれば、容易に挿抜する操作を行えるので好ましく、またストッパ本体が、チタン合金から成るものであれば、インプラント治療において要求される生体親和性を有する素材で構成されていることになるので、フィクスチャーの埋入方向が規定された穴が形成されたテンプレートを使用せずにインプラントフィクスチャー埋入用孔を穿設する場合において、ストッパ本体が歯肉等の生体に直接接触した際に、生体に与える影響を緩和させることができて好ましいばかりでなく、その耐久性も向上させることができて好ましい。
【発明を実施するための最良の形態】
【００２０】
以下、図面により本発明に係る歯科用ドリル用着脱式ストッパについて詳細に説明する。
図１は本発明に係る歯科用ドリル用着脱式ストッパにおけるストッパ本体の１例を示す斜視説明図、図２は図１の正面説明図、図３は図１の背面説明図、図４は図１の平面説明図、図５は図２のＡ−Ａ線断面説明図、図６は図５に示すストッパ本体の拡径具挿入部に拡径具の１例を挿入してストッパ本体の内径を拡径せしめた状態を示す断面説明図、図７は本発明に係る歯科用ドリル用着脱式ストッパにおけるストッパ本体の他の例を示す正面説明図、図８は図７の平面説明図、図９は図７のＢ−Ｂ線断面説明図、図１０は図９に示すストッパ本体の拡径具挿入部に拡径具の他の例を挿入してストッパ本体の内径を拡径せしめた状態を示す断面説明図、図１１は本発明に係る歯科用ドリル用着脱式ストッパにおけるストッパ本体の更に他の例を歯科用ドリルの軸部に外嵌し位置固定させた状態を示す正面説明図である。
【００２１】
図面中、１は定常状態でその内径が歯科用ドリルＤの軸部D3の外径よりも僅かに小さく、その外周面から内周面に至るスリット部1aがその軸方向全長に形成されてスリット部1aが開口された円筒状を成し、スリット部1aの軸方向の中央部に拡径具挿入部1bが穿設されている弾性変形可能な金属材料から成るストッパ本体であり、歯科用ドリルＤの軸部D3に歯科用ドリルＤの先端側又は後端側から外嵌させて位置固定されることにより、穿設するインプラントフィクスチャー埋入用孔の深さを規制する役目を果たす。
【００２２】
このストッパ本体１は、図１，図２及び図４〜図１１に示す如くその外周面から内周面に至るスリット部1aがその軸方向全長に形成されてスリット部1aが開口された円筒状を成していると共に、このスリット部1aの軸方向の中央部に拡径具挿入部1bが穿設されている形状を成しており、そして図１１に示す如くこのストッパ本体１を歯科用ドリルＤの軸部D3に外嵌させて位置固定する際には、図５及び図９に示す如く定常状態ではその内径が歯科用ドリルＤの軸部D3の外径よりも僅かに小さいため、図６及び図１０に示す如くストッパ本体１の拡径具挿入部1bに後述する拡径具２を挿入することにより、ストッパ本体１の内径を歯科用ドリルＤの軸部D3の外径よりも大きく拡径せしめて、歯科用ドリルＤの先端側又は後端側から挿通可能な拡径状態とし、拡径具２が挿入された状態のストッパ本体１を歯科用ドリルＤの先端側又は後端側から挿通させて歯科用ドリルＤの軸部D3の所望の位置まで移行させることができるのである。
【００２３】
そして、このストッパ本体１は、弾性変形可能な金属材料から成るものであるので、後述する拡径具２が挿入された状態のストッパ本体１を歯科用ドリルＤの先端側又は後端側から挿通させて歯科用ドリルＤの軸部D3の所望の位置まで移行させた後に、拡径具２をストッパ本体１の拡径具挿入部1bから抜き取ると、その弾性変形力によってその内径が歯科用ドリルＤの軸部D3の外径よりも僅かに小さい定常状態へと戻ろうとするので、このようなストッパ本体１の弾性変形力により歯科用ドリルＤの軸部D3に確実に外嵌されて固定された状態を維持することができるのであり、一方歯科用ドリルＤの軸部D3に確実に外嵌されて固定された状態のストッパ本体１を歯科用ドリルＤから取り外す際には、再び図６及び図１０に示す如くストッパ本体１の拡径具挿入部1bに後述する拡径具２を挿入することにより、ストッパ本体１の内径を前記歯科用ドリルＤの軸部D3の外径よりも大きく拡径せしめて、歯科用ドリルＤの先端側又は後端側から挿通可能な拡径状態とした後に、拡径具２が挿入された状態のストッパ本体１を歯科用ドリルＤの先端側又は後端側から抜き取ればよいのである。
【００２４】
このストッパ本体１には、図１，図２及び図４〜図１１に示す如くその外周面から内周面に至り且つその軸方向全長に形成されたスリット部1aを有しており、このような構成のスリット部1aが存在することにより、ストッパ本体１は、図５及び図９に示す如くストッパ本体１の内径が歯科用ドリルＤの軸部D3の外径よりも僅かに小さい定常状態と、図６及び図１０に示す如くストッパ本体１の内径が歯科用ドリルＤの軸部D3の外径よりも大きい拡径状態、即ちスリット部1aの幅が定常状態よりも広がって変形した状態とに相互に移行することができるのである。
【００２５】
このストッパ本体１のスリット部1aの軸方向の中央部には、図１，図２，図５〜図７及び図９〜図１１に示す如く拡径具挿入部1bが穿設されており、この拡径具挿入部1bは、後述する拡径具２が挿入されることによりストッパ本体１の内径を歯科用ドリルＤの軸部D3の外径よりも大きく拡径せしめることができるように、拡径具２の形状に対応した形状を成しているものであれば何でもよく、例えば図１，図２及び図１１に示す如くその外周面側から見た際にその断面が円形状を成していたり、図７に示す如くその外周面側から見た際にその断面が矩形状を成していたりしてもよい。
【００２６】
そして、このストッパ本体１の拡径具挿入部1bとしては、図１，図２，図５及び図６に示す如くストッパ本体１の拡径具挿入部1bがその横断面の面積が外周側から内周側に行くに従って小さくなるように且つその横断面の形状が外周側から内周側に亘って相似形を成すように形成されている縮小部位1baを有すると共に、後述する拡径具２の先端側がストッパ本体１の拡径具挿入部1bの縮小部位1baの内周側の横断面よりも僅かに大きい横断面を成すように形成されていたり、図７，図９及び図１０に示す如くストッパ本体１の拡径具挿入部1bが外周側から内周側に亘って略同一の横断面を成すように形成されていると共に、後述する拡径具２の先端側がストッパ本体１の拡径具挿入部1bの横断面より大きな面積の横断面を有する部位から先端に行くに従ってストッパ本体１の拡径具挿入部1bの横断面より小さな面積の横断面を有するように形成されていたりすれば、ストッパ本体１の内径を確実に拡径することができて好ましい。
【００２７】
また、これらの態様のストッパ本体１の拡径具挿入部1b及び後述する拡径具２において、図１，図５及び図６に示す如くストッパ本体１の拡径具挿入部1bがその横断面が円形状を成し且つその外周側の内面に雌ねじ1bbが形成されていると共に、拡径具２にストッパ本体１の拡径具挿入部1bの雌ねじ1bbに螺入される雄ねじ2aが形成されていれば、ストッパ本体１の拡径具挿入部1bに拡径具２を螺入するだけで容易にストッパ本体１の内径を拡径することができて好ましいばかりでなく、拡径具２をその軸芯を中心として回転させる操作によりストッパ本体１を拡径状態と定常状態とに相互に移行させることができるので、ストッパ本体１の内径を拡径させる操作の際に必要な力を軽減することができて好ましい。
【００２８】
そして、このストッパ本体１の中心軸を挟んでスリット部1aと反対側の部位の外周面側に、図１及び図３〜図６に示す如く軸方向全長に亘って内周面側へ凹状を成す拡径補助部位1cが形成されていれば、ストッパ本体１の拡径具挿入部1bに後述する拡径具２を挿入した際にストッパ本体１の内径が拡径し易くなるので好ましいばかりでなく、ストッパ本体１の内径を拡径させる操作の際に必要な力を軽減することができて好ましく、更にはその拡径具挿入部1bが上方に向いた状態で且つその拡径補助部位1cが机上等の平坦な面上に当接させた状態でストッパ本体１を安定して机上等の平坦な面上に載置することができるから、拡径具２をストッパ本体１の拡径具挿入部1bに挿抜する際にこのように机上等の平坦な面上に載置した状態にすれば、容易に挿抜する操作を行えるので好ましい。
【００２９】
このストッパ本体１の材質としては、弾性変形可能な金属材料から成るもの、即ち一般的なステンレスやアルミニウム等の金属材料から成るものであれば特に限定されないが、ストッパ本体１がチタン合金から成るものであれば、インプラント治療において要求される生体親和性を有する素材で構成されていることになるので、フィクスチャーの埋入方向が規定された穴が形成されたテンプレートを使用せずにインプラントフィクスチャー埋入用孔を穿設する場合において、ストッパ本体１が歯肉等の生体に直接接触した際に、生体に与える影響を緩和させることができて好ましいばかりでなく、その耐久性も向上させることができて好ましい。
【００３０】
２はストッパ本体１の拡径具挿入部1bに挿抜自在な形状を成し、ストッパ本体１の拡径具挿入部1bに挿入されるとストッパ本体１の内径を歯科用ドリルＤの軸部D3の外径よりも大きく拡径せしめる拡径具であり、ストッパ本体１の拡径具挿入部1bに挿入されることにより、ストッパ本体１の内径が歯科用ドリルＤの軸部D3の外径よりも大きい拡径状態、即ちストッパ本体１を歯科用ドリルＤの先端側又は後端側から挿通させることができる状態へと移行させると共に、ストッパ本体１の拡径具挿入部1bから抜き取られることにより、ストッパ本体１の内径が歯科用ドリルＤの軸部D3の外径よりも僅かに小さい定常状態、即ちストッパ本体１を歯科用ドリルＤの軸部D3に外嵌されて位置固定された状態へと移行させる役目を果たす。
【００３１】
この拡径具２としては、ストッパ本体１の拡径具挿入部1bに挿抜自在な形状を成し、ストッパ本体１の拡径具挿入部1bに挿入されるとストッパ本体１の内径を歯科用ドリルＤの軸部D3の外径よりも大きく拡径せしめるように、ストッパ本体１の拡径具挿入部1bの形状に対応した形状を成しているものであれば何でもよく、例えば図１，図２及び図１１に示す如くストッパ本体１の拡径具挿入部1bがその外周面側から見た際にその断面が円形状を成している場合には、図示しないが拡径具２としてはその横断面が同じく円形状を成すように形成されているものであればよく、また図７に示す如くストッパ本体１の拡径具挿入部1bがその外周面側から見た際にその断面が矩形状を成している場合には、図示しないが拡径具２としてはその横断面が同じく矩形状を成すように形成されているものであればよい。
【００３２】
また、この拡径具２としては、例えば図１，図２，図５及び図６に示す如くストッパ本体１の拡径具挿入部1bがその横断面の面積が外周側から内周側に行くに従って小さくなるように且つその横断面の形状が外周側から内周側に亘って相似形を成すように形成されている縮小部位1baを有するものである場合には、拡径具２の先端側がストッパ本体１の拡径具挿入部1bの縮小部位1baの内周側の横断面よりも僅かに大きい横断面を成すように形成されていたり、図７，図９及び図１０に示す如くストッパ本体１の拡径具挿入部1bが外周側から内周側に亘って略同一の横断面を成すように形成されている場合には、拡径具２の先端側が、ストッパ本体１の拡径具挿入部1bの横断面より大きな面積の横断面を有する部位から先端に行くに従ってストッパ本体１の拡径具挿入部1bの横断面より小さな面積の横断面を有するように形成されていたりすれば、ストッパ本体１の内径を確実に拡径することができて好ましい。
【００３３】
即ち、図１，図２，図５及び図６に示す如き態様の場合には、その先端側がストッパ本体１の拡径具挿入部1bの縮小部位1baの内周側の横断面よりも僅かに大きい横断面を成すように形成されている拡径具２の先端側を、その横断面の面積が外周側から内周側に行くに従って小さくなるように且つその横断面の形状が外周側から内周側に亘って相似形を成すように形成されている縮小部位1baを有するストッパ本体１の拡径具挿入部1bに、外周側から内周側へ向けて挿入すると、図６に示す如く拡径具２の先端側がストッパ本体１の拡径具挿入部1bの縮小部位1baと当接しながら徐々にスリット1aを押し広げて行くので、ストッパ本体１の内径を確実に拡径することができて好ましいばかりでなく、ストッパ本体１の内径を拡径するために要する力を軽減させることができて好ましい。
【００３４】
一方、図７，図９及び図１０に示す如き態様の場合には、その先端側がストッパ本体１の拡径具挿入部1bの横断面より大きな面積の横断面を有する部位から先端に行くに従ってストッパ本体１の拡径具挿入部1bの横断面より小さな面積の横断面を有するように形成されている拡径具２の先端側を、その外周側から内周側に亘って略同一の横断面を成すように形成されているストッパ本体１の拡径具挿入部1bに、外周側から内周側へ向けて挿入すると、図１０に示す如く拡径具２の先端側の部位（図１０において先細り状を成す部位）がストッパ本体１の拡径具挿入部1bの外周側と当接しながら徐々にスリット1aを押し広げて行くので、ストッパ本体１の内径を確実に拡径することができて好ましいばかりでなく、ストッパ本体１の内径を拡径するために要する力を軽減させることができて好ましい。
【００３５】
また、これらの態様のストッパ本体１の拡径具挿入部1b及び拡径具２において、図１，図５及び図６に示す如くストッパ本体１の拡径具挿入部1bがその横断面が円形状を成し且つその外周側の内面に雌ねじ1bbが形成されていると共に、拡径具２にストッパ本体１の拡径具挿入部1bの雌ねじ1bbに螺入される雄ねじ2aが形成されていれば、ストッパ本体１の拡径具挿入部1bに拡径具２を螺入するだけで容易にストッパ本体１の内径を拡径することができて好ましいばかりでなく、拡径具２をその軸芯を中心として回転させる操作によりストッパ本体１を拡径状態と定常状態とに相互に移行させることができるので、ストッパ本体１の内径を拡径させる操作の際に必要な力を軽減することができて好ましい。
【００３６】
更に、図示しないが拡径具２としてその先端側にセルフタッピング機能を有するねじ部が形成されたものを用いてもよく、このような態様では、ストッパ本体１の拡径具挿入部1bに拡径具２を螺入する操作を行うと同時にストッパ本体１の拡径具挿入部1bの内面に雌ねじ1bbが形成されるので、ストッパ本体１の拡径具挿入部1bに雌ねじ1bbを予め形成する手間が省けて好ましい。
【００３７】
次に、このような構成の本発明に係る歯科用ドリル用着脱式ストッパの使用方法について説明する。
初めに、図６及び図１０に示す如くストッパ本体１の内径が歯科用ドリルＤの軸部D3の外径よりも大きく拡径せしめられた拡径状態となるように、ストッパ本体１の拡径具挿入部1bに拡径具２を挿入する操作を行う。
【００３８】
この操作は、具体的には例えば図７〜図１０に示す如くストッパ本体１の拡径具挿入部1bに雌ねじ1bbが形成されていないと共に拡径具２に雄ねじ2aやセルフタッピング機能を有するねじ部が形成されていない態様の場合には、ストッパ本体１の拡径具挿入部1bに、その外周側から内周側へ向けて拡径具２の先端側を挿入することにより行われ、また図１〜図６に示す如くストッパ本体１の拡径具挿入部1bに雌ねじ1bbが形成されていると共に拡径具２に雄ねじ2aが形成されている態様の場合には、ストッパ本体１の拡径具挿入部1bの雌ねじ1bbに、その外周側から内周側へ向けて拡径具２の雄ねじ2aを螺入させることにより行われ、更に図示しないがストッパ本体１の拡径具挿入部1bに雌ねじ1bbが形成されていないと共に拡径具２としてその先端側にセルフタッピング機能を有するねじ部が形成されたものを用いている態様の場合には、ストッパ本体１の拡径具挿入部1bに、その外周側から内周側へ向けて拡径具２のセルフタッピング機能を有するねじ部で雄ねじを形成しながら螺入させることにより行われる。
【００３９】
この操作により、図６及び図１０に示す如くストッパ本体１の内径が歯科用ドリルＤの軸部D3の外径よりも大きく拡径せしめられた拡径状態となるので、ストッパ本体１は歯科用ドリルＤの先端側又は後端側から挿通させることができる状態へと移行されるのである。尚、この操作は、本発明に係る歯科用ドリル用着脱式ストッパを歯科用ドリルＤの軸部D3に外嵌させる直前に行ってもよく、また予め行っておいてもよい。
【００４０】
次に、前記操作により拡径具２が挿入されてその内径を歯科用ドリルＤの軸部D3の外径よりも大きく拡径せしめられた状態のストッパ本体１を、歯科用ドリルＤの先端側又は後端側から挿通させて、歯科用ドリルＤの軸部D3の所望の位置に移行せしめる操作を行う。
【００４１】
この際、図６及び図１０に示す如くストッパ本体１の内径が歯科用ドリルＤの軸部D3の外径よりも大きく拡径せしめられた拡径状態となっているので、ストッパ本体１を簡単に歯科用ドリルＤの先端側又は後端側から挿通させて歯科用ドリルＤの軸部D3の所望の位置に移行せしめることができる。
【００４２】
最後に、歯科用ドリルＤの軸部D3の所望の位置に移行せしめられたストッパ本体１から拡径具２を抜き取ることにより、図１１に示す如く歯科用ドリルＤの軸部D3の所望の位置にストッパ本体１を外嵌せしめて位置固定させる操作を行う。
【００４３】
この操作は、具体的には例えば図７〜図１０に示す如くストッパ本体１の拡径具挿入部1bに雌ねじ1bbが形成されていないと共に拡径具２に雄ねじ2aやセルフタッピング機能を有するねじ部が形成されていない態様の場合には、ストッパ本体１の拡径具挿入部1bに挿入された拡径具２を抜き取ることにより行われ、また図１〜図６に示す如くストッパ本体１の拡径具挿入部1bに雌ねじ1bbが形成されていると共に拡径具２に雄ねじ2aが形成されている態様の場合や、図示しないがストッパ本体１の拡径具挿入部1bに雌ねじ1bbが形成されていないと共に拡径具２としてその先端側にセルフタッピング機能を有するねじ部が形成されたものを用いている態様の場合には、ストッパ本体１の拡径具挿入部1bに挿入された拡径具２をその軸芯を中心として螺入する方向と反対の方向に回転させることにより行われる。
【００４４】
この際、ストッパ本体１から拡径具２を抜き取ると、その弾性変形力によってその内径が歯科用ドリルＤの軸部D3の外径よりも僅かに小さい定常状態へと戻ろうとするので、このようなストッパ本体１の弾性変形力により歯科用ドリルＤの軸部D3に確実に外嵌した状態を維持することができる。
【００４５】
かくして、歯科用ドリルＤの軸部D3の所望の位置に本発明に係る歯科用ドリル用着脱式ストッパを外嵌させて位置固定させた後に、インプラント治療における欠如歯部の顎骨にインプラントフィクスチャー埋入用孔を穿設する手術を行えば、インプラントフィクスチャー埋入用孔を正確な深さで形成することができる。
【００４６】
そして、インプラントフィクスチャー埋入用孔を穿設する手術を行った後に、ストッパ本体１を歯科用ドリルＤから取り外したい場合や、歯科用ドリルＤの軸部D3に外嵌されているストッパ本体１の位置を変更したい場合には、ストッパ本体１の拡径具挿入部1bに拡径具２を挿入するだけで、図６及び図１０に示す如くストッパ本体１の内径が歯科用ドリルＤの軸部D3の外径よりも大きく拡径せしめられた拡径状態となるので、簡単にストッパ本体１の取り外しや位置の変更を行うことができる。
【図面の簡単な説明】
【００４７】
【図１】本発明に係る歯科用ドリル用着脱式ストッパにおけるストッパ本体の１例を示す斜視説明図である。
【図２】図１の正面説明図である。
【図３】図１の背面説明図である。
【図４】図１の平面説明図である。
【図５】図２のＡ−Ａ線断面説明図である。
【図６】図５に示すストッパ本体の拡径具挿入部に拡径具の１例を挿入してストッパ本体の内径を拡径せしめた状態を示す断面説明図である。
【図７】本発明に係る歯科用ドリル用着脱式ストッパにおけるストッパ本体の他の例を示す正面説明図である。
【図８】図７の平面説明図である。
【図９】図７のＢ−Ｂ線断面説明図である。
【図１０】図９に示すストッパ本体の拡径具挿入部に拡径具の他の例を挿入してストッパ本体の内径を拡径せしめた状態を示す断面説明図である。
【図１１】本発明に係る歯科用ドリル用着脱式ストッパにおけるストッパ本体の更に他の例を歯科用ドリルの軸部に外嵌し位置固定させた状態を示す正面説明図である。
【符号の説明】
【００４８】
１  ストッパ本体
1a  スリット部
1b  拡径具挿入部
1ba  縮小部位
1bb  雌ねじ
1c  拡径補助部位
２  拡径具
2a  雄ねじ
Ｄ  歯科用ドリル
D1  抜け止め用装着部
D2  縮径部
D3  軸部
D4  刃部
【図１】
0005165457.tif 000002
【図２】
0005165457.tif 000003
【図３】
0005165457.tif 000004
【図４】
0005165457.tif 000005
【図５】
0005165457.tif 000006
【図６】
0005165457.tif 000007
【図７】
0005165457.tif 000008
【図８】
0005165457.tif 000009
【図９】
0005165457.tif 000010
【図１０】
0005165457.tif 000011
【図１１】
0005165457.tif 000012